(57)【特許請求の範囲】
【請求項１】
それ自体では設計外力に耐えることができない第１の構造体と、前記第１の構造体を水平方向に支持する第２の構造体とからなり、前記第１の構造体と前記第２の構造体を上下方向の複数の箇所で連結してなる塔状構造物において、上部の連結部には粘性型のダンパーを設置し、下部の連結部には履歴型のダンパーを設置したことを特徴とする塔状構造物。
【請求項２】
前記第２の構造体が前記第１の構造体の外周に形成された鉄塔であることを特徴とする請求項１記載の塔状構造物。
【請求項３】
前記第１の構造体が煙突の筒身であることを特徴とする請求項２記載の塔状構造物。
【請求項４】
下部の連結部に設置した履歴型ダンパーの降伏力が、静的な風外力で生じる応力以上に設定されていることを特徴とする請求項１、２または３記載の塔状構造物。
【発明の詳細な説明】
【技術分野】
【０００１】
本発明は、地震や風等の振動外力に対する煙突等の塔状構造物に関するものである。
【背景技術】
【０００２】
例えば煙突などの筒身と鉄塔からなる構造物では、地震や風に対する外力は鉄塔で支えることを基本としている（例えば、特許文献１参照）が、単純に連結しただけでは系全体の減衰定数が小さいため、振動外乱に対する応答を抑えられないことがある。
【０００３】
この様な場合、連結部にダンパーを設置することは有効であり、複数の構造物をダンパーで連結する連結制震の考え方は以前より知られている（例えば、特許文献２、特許文献３参照）。連結用のダンパーとしては、オイルダンパーの様な粘性型のものや鋼製弾塑性ダンパーのような履歴型のものなど様々なものが考えられる。
【特許文献１】特開２００１−１８２３７４号公報
【特許文献２】特公昭５４−００１３９１号公報
【特許文献３】特公平０４−０４９６３２号公報
【発明の開示】
【発明が解決しようとする課題】
【０００４】
制御対象とする構造物が煙突のように高層の場合、筒身と鉄塔の頂部の変形差は非常に大きくなる。そのため、最大歪量に制限のある鋼製の弾塑性ダンパーでは対応できない場合が多く、たとえ許容変形量の大きな装置を作成できたとしてもサイズが巨大となり問題が生じる。
【０００５】
一方、オイルダンパーやビンガムダンパーといった油圧機械は、設計次第で大きなストロークを有する装置を容易に製作可能であり、かつ微小な振動から効果を発揮するため、連結用ダンパーとして優れた性能を有しているが、静的な荷重に抵抗できないため、例えば筒身に加わる風外力を鉄塔に伝えることができない。
【０００６】
本発明は、このような課題の解決を図ったものであり、それ自体では設計外力に耐えることができない第１の構造体と、それを支持する第２の構造体とを上下方向の複数の箇所で連結してなる塔状構造物について、全体として大きな変形量に対処でき、風外力のような静的荷重にも有効で、かつ地震時には構造体に大きな減衰定数を付加することができる塔状構造物を提供することを目的としている。
【課題を解決するための手段】
【０００７】
請求項１に係る塔状構造物は、それ自体では設計外力に耐えることができない第１の構造体と、前記第１の構造体を水平方向に支持する第２の構造体とからなり、前記第１の構造体と前記第２の構造体を上下方向の複数の箇所で連結してなる塔状構造物において、上部の連結部には粘性型のダンパーを設置し、下部の連結部には履歴型のダンパーを設置したことを特徴とするものである。
【０００８】
粘性型ダンパーは、抵抗力が図７に示すように速度に依存する性質を持つものであり、静的な一定荷重に対しては長時間では変形してしまい抵杭できない特性を有する。対応するダンパーとしては、オイルダンパー、ビンガムダンパー、粘性体や粘弾性体を利用した粘性ダンパー、粘弾性ダンパー等がある。
【０００９】
履歴型ダンパーは、抵抗力が図８に示すように変形に依存する性質を持つものであり、図８中にＦyと示した降伏荷重までは弾性的な復元力を維持するものである。対応するダンパーとしては、鋼製の弾塑性ダンパー、摩擦ダンパー、鉛ダンパー等がある。
【００１０】
このような構成により、本発明では、大ストロークの粘性型ダンパーと履歴型ダンパーを併用することで、風外力のような静的荷重を主として第２の構造体で支えつつ、地震時には大きな減衰定数を構造体に付加し、振動外力に対する応答を低減することができる。
【００１１】
請求項２は、請求項１に係る塔状構造物において、前記第２の構造体が前記第１の構造体の外周に形成された鉄塔であることを特徴とするものである。
【００１２】
第１の構造体が細長い塔形状の場合において、第２の構造体の形態としては、これを外から支える鉄塔のような構造体が適している。
【００１３】
請求項３は、請求項２に係る塔状構造物において、前記第１の構造体が煙突の筒身であることを特徴とするものである。
【００１４】
このような外形は、例えば特許文献１のものも同様であるが、本発明を適用することによる効果が非常に大きい構造物である。
【００１５】
請求項４は、請求項１、２または３に係る塔状構造物において、下部の連結部に設置した履歴型ダンパーの降伏力が、静的な風外力で生じる応力以上に設定されていることを特徴とするものである。
【００１６】
風外力にはこの履歴型ダンパーが固定用部材として働き、地震時には降伏することで、上層部の粘性型ダンパーの効果を助けることになる。
【発明の効果】
【００１７】
本発明によれば、それ自体では設計外力に耐えることができない第１の構造体と、前記第１の構造体を水平方向に支持する第２の構造体とからなる塔状構造物について、上部の連結部には粘性型のダンパーを設置し、下部の連結部には履歴型のダンパーを設置することで、全体として大きな変形量に対処させることができ、また風外力のような静的荷重にも有効で、かつ地震時には構造体に大きな減衰定数を付加することができる。
【発明を実施するための最良の形態】
【００１８】
以下、最良の実施形態として、本発明を筒身とそれを外周から支える鉄塔とからなる煙突に適用した場合について説明する。
【００１９】
図１は、筒身２と鉄塔３からなる煙突１の外形図の例である。図中に示した連結部４を全て切り離した時の筒身２と鉄塔３それぞれの振動の様子を示したのが図２である。ダンパーは筒身２と鉄塔３間の相対的な変形が大きい場所に設置するのが有効であるため、この図２からは上層部に設置する方が良いことが分かる。
【００２０】
図３は上層位置の連結部４のみを切り離した場合である。この図３からは、筒身２と鉄塔３の相対的な変形差を大きくする観点からは、連結部４は全て切り離した方が良いことになる。
【００２１】
大きな変形を容易に許容し、微小な振幅レベルから大振幅まで一定の効果を発揮する粘性型ダンパーであるオイルダンパーやビンガムダンパーは、上記の上層階に設置するのに最も適している。しかしながら、こうした粘性型ダンパーは静的な荷重を支えられないため、筒身２に作用する風外力を鉄塔３に伝えることができない。
【００２２】
ところで、筒身２に作用する静的風外力から筒身２を守るためには、全ての連結部４で支える必要はない場合が多い。図４のように筒身２に作用する曲げモーメントは下層に向かって増大するため、曲げモーメントが許容値を超える下層位置（例えば図４のＣおよびＤの位置）で連結すれば、静的風外力に対しては抵抗し得る。
【００２３】
しかしながら、地震時の応答低減を考慮すると、前述した理由の通り、可能な限り筒身２と鉄塔３は切り離す方が望ましい。そこで、風外力抵抗用に連結する部位には履歴型ダンパー６を設置し、風外力時にダンパーに作用する力より少し大きな値でダンパーが降伏するように耐力を設定するものとする（図５）。
【００２４】
これにより、風外力時には弾塑性ダンパーなどの履歴型ダンパー６は固定用部材として働き、地震時には降伏することで連結効果を解消し、上層部の粘性型ダンパー５の効果を助ける。
【００２５】
また、静的風荷重に抵抗するための履歴型ダンパー６は下層部に設置されるため地震時の変形は小さく、鋼製弾塑性ダンパーでも十分に適用できることも利点の一つである。この下層部の履歴型ダンパー６は一定荷重まで剛に連結する能力を有していれば良く、鋼製弾塑性ダンパーに限らず、例えば摩擦型のダンパーでも良い。
【００２６】
なお、風荷重に抵抗するための履歴型ダンパー６は、必ずしも筒身２下層部の全ての連結位置に設置する必要はない。筒身２と鉄塔３は、上層部に設置した粘性型ダンパー５が十分効果を発揮する程度切り離せれば良いため、最下層部は通常のように剛結部材７で連結し、必要な中間位置のみ弾塑性ダンパーなどの履歴型ダンパー６とすることも考えられる（図６）。
【００２７】
また、本発明は既存の塔状構造物の補強にはもちろんのこと、新築の場合にも適用できる。あるいは、既に筒身２のみの自立型構造物として建設された煙突に対して、風外力の評価値が増大したような場合には、周囲に補強鉄塔３を新築し、本発明を適用することで静的風外力に対応しつつ、動的な外乱に対する大きな振動低減効果を実現し得る。
【図面の簡単な説明】
【００２８】
【図１】筒身と鉄塔からなる煙突を概略的に示した正面図である。
【図２】図１の煙突について、連結部を全て切り離した時の筒身と鉄塔それぞれの振動の様子を示した図である。
【図３】図１の煙突について、上層位置の連結部のみを切り離した場合の筒身と鉄塔それぞれの振動の様子を示した図である。
【図４】図１の煙突について、筒身に作用する曲げモーメントを示した図である。
【図５】本発明の一実施形態を概略的に示した正面図である。
【図６】本発明の他の実施形態を概略的に示した正面図である。
【図７】粘性型ダンパーの特性を説明するための速度と荷重の関係を例示的に表わしたグラフである。
【図８】履歴型ダンパーの特性を説明するための変位と荷重の関係を例示的に表わしたグラフである。
【符号の説明】
【００２９】
１…煙突、２…筒身、３…鉄塔、４…連結部、５…粘性型ダンパー、６…弾塑性ダンパー、７…剛結部材
【図１】
0004552817.tif 000002
【図２】
0004552817.tif 000003
【図３】
0004552817.tif 000004
【図４】
0004552817.tif 000005
【図５】
0004552817.tif 000006
【図６】
0004552817.tif 000007
【図７】
0004552817.tif 000008
【図８】
0004552817.tif 000009